(57)【要約】【課題】ユーザが適切な用紙を選択することのできる画像形成装置を提供する。【解決手段】ユーザを識別するユーザ識別情報と、印刷用紙の種類である紙種を識別する紙種識別情報と、ユーザにより紙種の名称として設定された個人用名称とを対応付けて保持する個人用紙種情報保持手段１１０と、ユーザ識別情報を含み、個人用名称の表示を要求する情報である個人用名称要求を受信する個人用名称要求受信手段１０１と、個人用名称要求受信手段１０１が個人用名称要求を受信した場合に、個人用紙種情報保持手段１１０において個人用名称要求に含まれるユーザ識別情報に対応付けられている個人用名称を抽出する個人用名称抽出手段１１０と、個人用名称抽出手段１１０により抽出された個人用名称を送信する送信手段１０１とを備えた。【選択図】        図２
2008068605.tif 000002
【特許請求の範囲】
【請求項１】
ユーザを識別するユーザ識別情報と、印刷用紙の種類である紙種を識別する紙種識別情報と、ユーザにより前記紙種の名称として設定された個人用名称とを対応付けて保持する個人用紙種情報保持手段と、
前記ユーザ識別情報を含み、前記個人用名称の表示を要求する情報である個人用名称要求を受信する個人用名称要求受信手段と、
前記個人用名称要求受信手段が前記個人用名称要求を受信した場合に、前記個人用紙種情報保持手段において前記個人用名称要求に含まれる前記ユーザ識別情報に対応付けられている前記個人用名称を抽出する個人用名称抽出手段と、
前記個人用名称抽出手段により抽出された前記個人用名称を送信する送信手段と
を備えたことを特徴とする画像形成装置。
【請求項２】
前記ユーザ識別情報と前記個人用名称とを含む印刷指示を受信する印刷指示受信手段と、
前記印刷指示受信手段が前記印刷指示を受信した場合に、前記個人用紙種情報保持手段において前記印刷指示に含まれる前記ユーザ識別情報と前記個人用名称とに対応付けられている前記紙種識別情報を特定する紙種識別情報特定手段と、
前記紙種識別情報と、前記紙種の内容とを対応付けて保持する既定紙種情報保持手段と、
前記既定紙種情報保持手段において前記紙種識別情報特定手段により特定された前記紙種識別情報に対応付けられている前記紙種の内容を抽出する紙種内容抽出手段と、
前記紙種内容抽出手段により抽出された前記紙種の内容に基づいて、前記印刷指示にしたがい画像を形成する画像形成手段と
をさらに備えたことを特徴とする請求項１に記載の画像形成装置。
【請求項３】
前記ユーザ識別情報、前記紙種識別情報および前記個人用名称を含む個人用名称登録要求を受信する個人用名称登録要求受信手段と、
前記個人用名称登録要求受信手段が受信した前記個人用名称登録要求に含まれる、前記ユーザ識別情報、前記紙種識別情報および前記個人用名称を対応付けて前記個人用紙種保持手段に登録する登録手段と
をさらに備えたことを特徴とする請求項１または２に記載の画像形成装置。
【請求項４】
前記個人用名称は、テキストデータであることを特徴とする請求項１から３のいずれか一項に記載の画像形成装置。
【請求項５】
印刷指示を送信する情報処理装置と、印刷指示に従い画像を形成する画像形成装置とを備えた画像形成システムであって、
前記情報処理装置は、当該情報処理装置を利用するユーザを識別するユーザ識別情報を含み、前記ユーザにより印刷用紙の種類である紙種の名称として設定された個人用名称の表示を要求する情報である個人用紙種名称要求を送信する個人用紙種名称要求送信手段を有し、
前記画像形成装置は、
前記個人用紙種名称要求を受信する個人用紙種名称要求受信手段と、
前記ユーザ識別情報と、前記紙種を識別する紙種識別情報と、前記個人用名称とを対応付けて保持する個人用紙種情報保持手段と、
前記個人用名称要求受信手段が前記個人用名称要求を受信した場合に、前記個人用紙種情報保持手段において前記個人用名称要求に含まれる前記ユーザ識別情報に対応付けられている前記個人用名称を抽出する個人用名称抽出手段と、
前記個人用名称抽出手段により抽出された前記個人用名称を送信する送信手段と
を有し、
前記情報処理装置は、
前記個人用名称を受信する個人用名称受信手段と、
前記個人用名称受信手段が受信した前記個人用名称を表示する個人用名称表示手段と
をさらに有することを特徴とする画像形成システム。
【請求項６】
ユーザを識別するユーザ識別情報を含み、前記ユーザにより印刷用紙の種類である紙種の名称として設定された個人用名称の表示を要求する情報である個人用名称要求を受信する個人用名称要求受信ステップと、
前記個人用名称要求受信ステップにおいて前記個人用名称要求を受信した場合に、前記ユーザ識別情報と、印刷用紙の種類を識別する紙種識別情報と、ユーザにより設定された個人用名称とを対応付けて保持する個人用紙種情報保持手段において前記個人用名称要求に含まれる前記ユーザ識別情報に対応付けられている前記個人用名称を抽出する個人用名称抽出ステップと、
前記個人用名称抽出ステップにより抽出された前記個人用名称を送信する送信ステップと
を有することを特徴とする画像形成方法。
【請求項７】
請求項６に記載の画像形成方法をコンピュータに実行させることを特徴とする画像形成プログラム。
【発明の詳細な説明】
【技術分野】
【０００１】
本発明は、印刷用紙を指定可能な画像形成装置、画像形成システム、画像形成方法および画像形成プログラムに関するものである。
【背景技術】
【０００２】
従来、サイズの異なる複数種類の用紙に印刷可能な画像形成装置が知られている。このような画像形成装置においては、任意の印刷用紙を指定して印刷を行うことができる。ユーザが任意の用紙サイズを設定することができる装置も開示されている（例えば、「特許文献１」参照）。
【０００３】
【特許文献１】特開２００４−２１０４４３号公報
【発明の開示】
【発明が解決しようとする課題】
【０００４】
しかしながら、用紙の名称等は予め設定されている。このため、名称が不適切な場合やユーザにとってわかりにくい場合には、ユーザは誤った用紙を選択する可能性があり、問題であった。
【０００５】
本発明は、上記に鑑みてなされたものであって、ユーザが適切な用紙を選択することのできる画像形成装置、画像形成システム、画像形成方法および画像形成プログラムを提供することを目的とする。
【課題を解決するための手段】
【０００６】
上述した課題を解決し、目的を達成するために、請求項１にかかる発明は、画像形成装置であって、ユーザを識別するユーザ識別情報と、印刷用紙の種類である紙種を識別する紙種識別情報と、ユーザにより前記紙種の名称として設定された個人用名称とを対応付けて保持する個人用紙種情報保持手段と、前記ユーザ識別情報を含み、前記個人用名称の表示を要求する情報である個人用名称要求を受信する個人用名称要求受信手段と、前記個人用名称要求受信手段が前記個人用名称要求を受信した場合に、前記個人用紙種情報保持手段において前記個人用名称要求に含まれる前記ユーザ識別情報に対応付けられている前記個人用名称を抽出する個人用名称抽出手段と、前記個人用名称抽出手段により抽出された前記個人用名称を送信する送信手段とを備えたことを特徴とする。
【０００７】
また、請求項２にかかる発明は、請求項１に記載の画像形成装置であって、前記ユーザ識別情報と前記個人用名称とを含む印刷指示を受信する印刷指示受信手段と、前記印刷指示受信手段が前記印刷指示を受信した場合に、前記個人用紙種情報保持手段において前記印刷指示に含まれる前記ユーザ識別情報と前記個人用名称とに対応付けられている前記紙種識別情報を特定する紙種識別情報特定手段と、前記紙種識別情報と、前記紙種の内容とを対応付けて保持する既定紙種情報保持手段と、前記既定紙種情報保持手段において前記紙種識別情報特定手段により特定された前記紙種識別情報に対応付けられている前記紙種の内容を抽出する紙種内容抽出手段と、前記紙種内容抽出手段により抽出された前記紙種の内容に基づいて、前記印刷指示にしたがい画像を形成する画像形成手段とをさらに備えたことを特徴とする。
【０００８】
また、請求項３にかかる発明は、請求項１または２に記載の画像形成装置であって、前記ユーザ識別情報、前記紙種識別情報および前記個人用名称を含む個人用名称登録要求を受信する個人用名称登録要求受信手段と、前記個人用名称登録要求受信手段が受信した前記個人用名称登録要求に含まれる、前記ユーザ識別情報、前記紙種識別情報および前記個人用名称を対応付けて前記個人用紙種保持手段に登録する登録手段とをさらに備えたことを特徴とする。
【０００９】
また、請求項４にかかる発明は、請求項１から３のいずれか一項に記載の画像形成装置であって、前記個人用名称は、テキストデータであることを特徴とする。
【００１０】
また、請求項５にかかる発明は、印刷指示を送信する情報処理装置と、印刷指示に従い画像を形成する画像形成装置とを備えた画像形成システムであって、前記情報処理装置は、当該情報処理装置を利用するユーザを識別するユーザ識別情報を含み、前記ユーザにより印刷用紙の種類である紙種の名称として設定された個人用名称の表示を要求する情報である個人用紙種名称要求を送信する個人用紙種名称要求送信手段を有し、前記画像形成装置は、前記個人用紙種名称要求を受信する個人用紙種名称要求受信手段と、前記ユーザ識別情報と、前記紙種を識別する紙種識別情報と、前記個人用名称とを対応付けて保持する個人用紙種情報保持手段と、前記個人用名称要求受信手段が前記個人用名称要求を受信した場合に、前記個人用紙種情報保持手段において前記個人用名称要求に含まれる前記ユーザ識別情報に対応付けられている前記個人用名称を抽出する個人用名称抽出手段と、前記個人用名称抽出手段により抽出された前記個人用名称を送信する送信手段とを有し、前記情報処理装置は、前記個人用名称を受信する個人用名称受信手段と、前記個人用名称受信手段が受信した前記個人用名称を表示する個人用名称表示手段とをさらに有することを特徴とする。
【００１１】
また、請求項６にかかる発明は、画像形成方法であって、ユーザを識別するユーザ識別情報を含み、前記ユーザにより印刷用紙の種類である紙種の名称として設定された個人用名称の表示を要求する情報である個人用名称要求を受信する個人用名称要求受信ステップと、前記個人用名称要求受信ステップにおいて前記個人用名称要求を受信した場合に、前記ユーザ識別情報と、印刷用紙の種類を識別する紙種識別情報と、ユーザにより設定された個人用名称とを対応付けて保持する個人用紙種情報保持手段において前記個人用名称要求に含まれる前記ユーザ識別情報に対応付けられている前記個人用名称を抽出する個人用名称抽出ステップと、前記個人用名称抽出ステップにより抽出された前記個人用名称を送信する送信ステップとを有することを特徴とする。
【００１２】
また、請求項７にかかる発明は、画像形成プログラムであって、請求項６に記載の画像形成方法をコンピュータに実行させることを特徴とする。
【発明の効果】
【００１３】
請求項１にかかる発明によれば、個人用紙種情報保持手段が、ユーザを識別するユーザ識別情報と、印刷用紙の種類である紙種を識別する紙種識別情報と、ユーザにより紙種の名称として設定された個人用名称とを対応付けて保持し、個人用名称要求受信手段が、ユーザ識別情報を含み、個人用名称の表示を要求する情報である個人用名称要求を受信し、個人用名称抽出手段が、個人用名称要求受信手段が個人用名称要求を受信した場合に、個人用紙種情報保持手段において個人用名称要求に含まれるユーザ識別情報に対応付けられている個人用名称を抽出し、送信手段が、個人用名称抽出手段により抽出された個人用名称を送信するので、ユーザは、個人用名称を参照することにより、適切な用紙を選択することができるという効果を奏する。
【００１４】
また、請求項２によれば、印刷指示受信手段が、ユーザ識別情報と個人用名称とを含む印刷指示を受信し、紙種識別情報特定手段が、印刷指示受信手段が印刷指示を受信した場合に、個人用紙種情報保持手段において印刷指示に含まれるユーザ識別情報と個人用名称とに対応付けられている紙種識別情報を特定し、既定紙種情報保持手段が、紙種識別情報と、紙種の内容とを対応付けて保持し、紙種内容抽出手段が、既定紙種情報保持手段において紙種識別情報特定手段により特定された紙種識別情報に対応付けられている紙種の内容を抽出し、画像形成手段が、紙種内容抽出手段により抽出された紙種の内容に基づいて、印刷指示にしたがい画像を形成するので、ユーザにより個人用名称が選択されれば、自動的に対応する紙種の内容を特定し画像を形成することができるという効果を奏する。
【００１５】
また、請求項３によれば、個人用名称登録要求受信手段が、ユーザ識別情報、紙種識別情報および個人用名称を含む個人用名称登録要求を受信し、登録手段が、個人用名称登録要求受信手段が受信した個人用名称登録要求に含まれる、ユーザ識別情報、紙種識別情報および個人用名称を対応付けて個人用紙種保持手段に登録するので、ユーザにより容易に個人用名称を登録することができるという効果を奏する。
【００１６】
また、請求項４によれば、個人用名称は、テキストデータであるので、ユーザは容易に個人称名称を把握することができるという効果を奏する。
【００１７】
また、請求項５によれば、情報処理装置の個人用紙種名称要求送信手段が、当該情報処理装置を利用するユーザを識別するユーザ識別情報を含み、ユーザにより印刷用紙の種類である紙種の名称として設定された個人用名称の表示を要求する情報である個人用紙種名称要求を送信し、画像形成装置の個人用紙種名称要求受信手段が、個人用紙種名称要求を受信し、個人用紙種情報保持手段が、ユーザ識別情報と、紙種を識別する紙種識別情報と、個人用名称とを対応付けて保持し、個人用名称抽出手段が、個人用名称要求受信手段が個人用名称要求を受信した場合に、個人用紙種情報保持手段において個人用名称要求に含まれるユーザ識別情報に対応付けられている個人用名称を抽出し、送信手段が、個人用名称抽出手段により抽出された個人用名称を送信し、情報処理装置の個人用名称受信手段が、個人用名称を受信し、個人用名称表示手段が、個人用名称受信手段が受信した個人用名称を表示するので、ユーザは、個人用名称を参照することにより、適切な用紙を選択することができるという効果を奏する。
【００１８】
また、請求項６によれば、個人用名称要求受信ステップにおいて、ユーザを識別するユーザ識別情報を含み、ユーザにより印刷用紙の種類である紙種の名称として設定された個人用名称の表示を要求する情報である個人用名称要求を受信し、個人用名称抽出ステップにおいて、個人用名称要求受信ステップにおいて個人用名称要求を受信した場合に、ユーザ識別情報と、印刷用紙の種類を識別する紙種識別情報と、ユーザにより設定された個人用名称とを対応付けて保持する個人用紙種情報保持手段において個人用名称要求に含まれるユーザ識別情報に対応付けられている個人用名称を抽出し、送信ステップにおいて、個人用名称抽出ステップにより抽出された個人用名称を送信するので、ユーザは、個人用名称を参照することにより、適切な用紙を選択することができるという効果を奏する。
【００１９】
また、請求項７によれば、個人用名称要求受信ステップにおいて、ユーザを識別するユーザ識別情報を含み、ユーザにより印刷用紙の種類である紙種の名称として設定された個人用名称の表示を要求する情報である個人用名称要求を受信し、個人用名称抽出ステップにおいて、個人用名称要求受信ステップにおいて個人用名称要求を受信した場合に、ユーザ識別情報と、印刷用紙の種類を識別する紙種識別情報と、ユーザにより設定された個人用名称とを対応付けて保持する個人用紙種情報保持手段において個人用名称要求に含まれるユーザ識別情報に対応付けられている個人用名称を抽出し、送信ステップにおいて、個人用名称抽出ステップにより抽出された個人用名称を送信するので、ユーザは、個人用名称を参照することにより、適切な用紙を選択することができるという効果を奏する。
【発明を実施するための最良の形態】
【００２０】
以下に添付図面を参照して、この発明にかかる画像形成装置、画像形成システム、画像形成方法および画像形成プログラムの最良な実施の形態を詳細に説明する。
【００２１】
図１は、本発明の実施の形態にかかる画像形成システム１の全体構成を示す図である。画像形成システム１は、画像形成装置としてのプリンタ１０と、情報処理装置としての複数のＰＣ２０ａ〜２０ｃとを有している。プリンタ１０とＰＣ２０ａ〜２０ｃとはネットワーク３０を介して接続している。ユーザは、ＰＣ２０ａ〜２０ｃからプリンタ１０に印刷要求を送信することにより、プリンタ１０から対応する印刷物を得ることができる。
【００２２】
図２は、プリンタ１０の機能構成を示すブロック図である。プリンタ１０は、通信制御部１０１と、記憶装置１０２と、ユーザインターフェイス制御部１０３と、画像形成制御部１０４と、印刷制御部１０５と、機器情報管理部１１０と、操作パネル１２０とを備えている。
【００２３】
通信制御部１０１は、ネットワーク３０を介してＰＣ２０とのデータの送受信を行う。記憶装置１０２は、ＲＯＭ、ＲＡＭから構成され各種情報やプログラムなどを格納している。ユーザインターフェイス制御部１０３は、操作パネル１２０においてユーザから入力された情報の入力を受け付け、また操作パネル１２０に表示すべき情報を出力する。画像形成制御部１０４は、画像形成にかかる制御を行う。印刷制御部１０５は、印刷にかかる制御を行う。
【００２４】
機器情報管理部１１０は、機器情報を管理する。ここで、機器情報とはプリンタ１０の性能に関する情報などである。機器情報には、紙種情報が含まれている。機器情報管理部１１０は、後述する既定紙種テーブルおよび個人用紙種テーブルを保持し、これらのテーブルにより、紙種情報を管理する。
【００２５】
ここで、紙種情報とは、印刷用紙の種類に関する情報である。印刷用紙の種類すなわち紙種は、紙質と紙厚により特定される。紙種は紙種ＩＤにより識別される。紙種としては、ユーザが独自の名称をつけることが可能なカスタム紙種と、これ以外、すなわち名称変更不可能な一般紙種とがある。
【００２６】
図３は、機器情報管理部１１０に保持されている既定紙種テーブル１１２のデータ構成を模式的に示す図である。既定紙種テーブル１１２においては、カスタム紙種について、紙種ＩＤ、既定名称、紙質、紙厚などの属性が対応付けられている。ここで、既定名称とは、管理者により紙種を識別すべく設定された名称である。例えば、紙種ＩＤ１で識別される紙種は、伝票として利用されるため、伝票という既定名称が設定されている。
【００２７】
図４−１および図４−２は、機器情報管理部１１０に保持されている個人用紙種テーブル１１４ａ，１１４ｂのデータ構成を模式的に示す図である。図４−１に示す個人用紙種テーブル１１４ａは、ユーザＡについてのテーブルであり、図４−２に示す個人用紙種テーブル１１４ｂは、ユーザＢについてのテーブルである。個人用紙種テーブル１１４ａ，１１４ｂにはユーザごとに設定された個人用名称が格納されている。例えば、紙種ＩＤ１で識別される紙種の既定名称は伝票であるが、ユーザＡにより設定された個人用名称は○○用伝票である。このように、同一の紙種ＩＤにより識別される紙種に対し、ユーザごとに異なる名称、すなわち個人用名称を設定することができる。
【００２８】
図５は、変更例にかかる個人用紙種テーブル１１５のデータ構成を模式的に示す図である。このように、複数のユーザに対応する複数のテーブルを１つのテーブルとしてもよい。
【００２９】
図６は、ＰＣ２０の機能構成を示すブロック図である。ＰＣ２０は、通信制御部２１０と、表示制御部２１２と、印刷データ作成部２１４と、表示画面２４０とを備えている。通信制御部２１０は、プリンタ１０との通信を制御する。さらに、表示画面２４０との間のデータ転送を制御する。表示制御部２１２は、表示画面２４０へのデータ表示を制御する。印刷データ作成部２１４は、プリンタ１０において印刷すべき印刷データを作成する。
【００３０】
図７は、既定紙種登録処理を示すフローチャートである。既定紙種登録処理においては、ＰＣ２０のユーザインターフェイス（図示せず）を介して、管理者により、カスタム紙種の既定名称等が設定されると、ＰＣ２０は、設定された内容を取得する（ステップＳ１００）。次に、ＰＣ２０は、指定された内容を含む既定紙種登録要求をプリンタ１０に送信する（ステップＳ１０２）。ここで、既定紙種登録要求には、設定すべき紙種ＩＤと、この紙種ＩＤに対応する既定名称、紙質、紙厚とが対応付けて含まれている。
【００３１】
図８−１は、管理者が所定の紙種の既定名称等を設定する際に表示画面２４０に表示されるカスタム紙種設定画面３００を示す図である。図８−１に示すカスタム紙種設定画面３００は、紙種ＩＤ１のカスタム紙種についての画面である。ここで、既定名称の更新または設定を希望する場合には、名称変更ボタンを選択する。図８−２は、名称変更ボタンが選択された場合に表示画面２４０に表示される名称入力画面３０２を示す図である。管理者は、この画面において、所望の名称を入力することができる。さらに、カスタム紙種設定画面３００において、カスタム紙種の名称以外にも、普通紙、特殊紙などの紙種、紙厚などを設定することができる。
【００３２】
ここで選択された情報が、既定紙種登録要求に含まれてプリンタ１０に送信される。例えば図８−１に示すように、カスタム紙種１の画面において所定の設定がなされると、紙種ＩＤ１と、設定された内容に対応する属性とを含む既定紙種登録要求が生成される。
【００３３】
なお、管理者による入力が行われる装置は、ＰＣ２０に限定されるものではなく、プリンタ１０の操作パネル１２０において行われてもよい。または、他の装置において行われてもよい。
【００３４】
再び説明を図７に戻す。プリンタ１０において通信制御部１０１が既定紙種登録要求を受信すると（ステップＳ１０２）、機器情報管理部１１０は、既定紙種テーブル１１２において、既定紙種登録要求に含まれる紙種ＩＤを検索する。既定紙種テーブル１１２に既定紙種登録要求に含まれる紙種ＩＤが存在しない場合には（ステップＳ１１０，Ｎｏ）、新たな紙種であるので、既定紙種テーブル１１２にこの紙種ＩＤを新たに追加する（ステップＳ１１２）。さらに、既定紙種登録要求において紙種ＩＤに対応付けられている紙質などの属性を、追加した紙種ＩＤに対応付けて既定紙種テーブル１１２に登録する（ステップＳ１１４）。
【００３５】
一方、既定紙種登録要求に含まれる紙種ＩＤが既定紙種テーブル１１２に存在する場合には（ステップＳ１１０，Ｙｅｓ）、既に登録されている属性の更新であるので、既定紙種テーブル１１２において既定紙種登録要求に含まれる紙種ＩＤに対応付けられている属性を、既定紙種登録要求に含まれる属性に更新する（ステップＳ１２０）。以上で、既定紙種登録処理が完了する。
【００３６】
図９は、個人用名称登録処理を示すフローチャートである。個人用名称登録処理においては、まずＰＣ２０のユーザインターフェイスを介して、ユーザによりカスタム紙種の個人用名称等が設定されると、ＰＣ２０は、設定された内容を取得する（ステップＳ１３０）。次に、ＰＣ２０は、設定された内容を含む個人用名称登録要求をプリンタ１０に送信する（ステップＳ１３２）。ここで、個人用名称登録要求には、設定すべき紙種ＩＤと、紙種に対する個人用名称とが含まれている。さらに、ユーザを識別するユーザＩＤが含まれている。なお、ユーザＩＤとしては、ＰＣ２０に予め設定されているユーザの名称を利用する。また、他の例としては、ＰＣ２０のＩＰアドレスを利用してもよい。
【００３７】
図１０−１は、ユーザが所定の紙種に対する個人用名称を設定する際に表示画面２４０に表示される印刷準備画面３１０を示す図である。印刷準備画面３１０において、紙種名称を変更したい場合には、名称変更ボタンを選択する。図１０−２は、名称変更ボタンが選択された場合に表示画面２４０に表示される名称変更画面３１２を示す図である。ユーザは、この画面において、所定の紙種に対し、所望の個人用名称を設定することができる。名称変更画面３１２において設定された個人用名称を含む個人用名称登録要求がプリンタ１０に送信される。
【００３８】
プリンタ１０においては、個人用名称登録要求を受信すると（ステップＳ１３２）、機器情報管理部１１０において、個人用名称登録要求に含まれるユーザＩＤに対応する個人用紙種テーブルを検索する。ユーザＩＤに対応する個人用紙種テーブルが存在しない場合には（ステップＳ１４０，Ｎｏ）、このユーザＩＤに対する個人用紙種テーブルを新たに作成する（ステップＳ１４２）。そして、新たに作成した個人用紙種テーブルに個人用名称登録要求に含まれる個人用名称を登録する（ステップＳ１４４）。これにより、図４−１に示すように各紙種に対する個人用名称が登録される。
【００３９】
一方、機器情報管理部１１０に、ユーザＩＤに対応する個人用紙種テーブルが存在する場合には（ステップＳ１４０，Ｙｅｓ）、このユーザＩＤの個人用紙種テーブルにおいて個人用名称登録要求に含まれる紙種ＩＤを特定する。そして、この紙種ＩＤに対応付けられている個人用名称を個人用名称登録要求に含まれる個人用名称に更新する（ステップＳ１５０）。以上で、個人用名称登録処理が完了する。
【００４０】
図１１は、個人用名称登録処理前後の印刷準備画面３１０を示す図である。個人用名称の登録が行われる前は、左に示すように紙種名称として既定名称が表示されているが、個人用名称の登録後は、右に示すように紙種名称として個人用名称が表示される。このように、各ユーザのＰＣ２０においては、各ユーザが設定した個人用名称が表示されるので、ユーザは容易に所望の紙種を特定することができる。
【００４１】
図１２は、個人用名称を含む印刷準備画面３１０の表示処理を示すフローチャートである。ＰＣ２０においてユーザにより印刷準備画面３１０の表示要求がなされると、ＰＣ２０からプリンタ１０に個人用名称の送信を要求する個人用名称送信要求が送信される（ステップＳ２００）。なお、個人用名称送信要求には、ユーザＩＤが含まれている。プリンタ１０は、個人用名称送信要求を受信すると、機器情報管理部１１０において、個人用名称要求に含まれるユーザＩＤに対応する個人用紙種テーブルを特定する（ステップＳ２１０）。
【００４２】
次に、個人用紙種テーブルから各紙種に対して設定された個人用名称を抽出する（ステップＳ２１２）。次に、抽出した個人用名称を文字列としてＰＣ２０に送信する（ステップＳ２１４）。ＰＣ２０においては、受信した個人用名称を印刷準備画面３１０の紙種選択欄に表示する（ステップＳ２２０）。以上で、表示処理が完了する。
【００４３】
図１３は、印刷処理を示すフローチャートである。ＰＣ２０においてユーザから所定の紙種の個人用名称が選択されると、プリンタ１０は、印刷データとともに、個人用名称を文字列として送信する。なお、このとき、ユーザＩＤも送信する。
【００４４】
プリンタ１０においては、印刷データ、個人用名称およびユーザＩＤを受信すると（ステップＳ３００）、機器情報管理部１１０は、ユーザＩＤに対応する個人用紙種テーブルを特定する（ステップＳ３０２）。次に、個人用紙種テーブルにおいて、ＰＣ２０から受信した個人用名称に対応付けられている紙種ＩＤを特定する（ステップＳ３０４）。次に、画像形成制御部１０４は、この紙種ＩＤを用いて画像を形成する（ステップＳ３０６）。
【００４５】
次に、機器情報管理部１１０は、既定紙種テーブル１１２において、この紙種ＩＤに対応付けられている、紙質および紙厚などの属性を特定する（ステップＳ３０８）。次に、印刷制御部１０５は、機器情報管理部１１０により特定された属性に基づいて、印刷を行う（ステップＳ３１０）。以上で、印刷処理が完了する。
【００４６】
図１４は、プリンタ１０の操作パネル１２０に紙種を表示する紙種表示処理を示すフローチャートである。まず、操作パネル１２０に表示させる紙種の紙種ＩＤを抽出する（ステップＳ４００）。次に、各紙種ＩＤについてカスタム紙種か否かを確認する。カスタム紙種である場合には（ステップＳ４０２，Ｙｅｓ）、既定紙種テーブル１１２において、紙種ＩＤに対応付けられている既定名称を抽出する（ステップＳ４０４）。そして、抽出した既定名称を紙種名称として操作パネル１２０に表示する（ステップＳ４０６）。カスタム紙種以外の紙種、すなわち一般紙種である場合には（ステップＳ４０２，Ｎｏ）、一般紙種の名称（特殊紙など）を表示する（ステップＳ４０６）。
【００４７】
図１５は、操作パネル１２０の表示例４００を示す図である。カスタム紙種については、既定名称が表示され、一般紙種については、特殊紙、再生紙など一般の名称が表示される。このように、プリンタ１０の操作パネル１２０には、個人用名称ではなく既定名称が表示される。
【００４８】
図１６は、プリンタ１０のハードウェア構成を示す図である。プリンタ１０は、ハードウェア構成として、プリンタ１０における既定紙種登録処理、個人用名称登録処理などの各種処理を実行する画像形成プログラムなどが格納されているＲＯＭ５２と、ＲＯＭ５２内のプログラムに従ってプリンタ１０の各部を制御するＣＰＵ５１と、プリンタ１０の制御に必要な種々のデータを記憶するＲＡＭ５３と、ネットワークに接続して通信を行う通信Ｉ／Ｆ５７と、各部を接続するバス６２とを備えている。
【００４９】
先に述べたプリンタ１０における画像形成プログラムは、インストール可能な形式又は実行可能な形式のファイルでＣＤ−ＲＯＭ、フロッピー（登録商標）ディスク（ＦＤ）、ＤＶＤ等のコンピュータで読み取り可能な記録媒体に記録されて提供されてもよい。
【００５０】
この場合には、画像形成プログラムは、プリンタ１０において上記記録媒体から読み出して実行することにより主記憶装置上にロードされ、上記ソフトウェア構成で説明した各部が主記憶装置上に生成されるようになっている。
【００５１】
また、本実施の形態の画像形成プログラムを、インターネット等のネットワークに接続されたコンピュータ上に格納し、ネットワーク経由でダウンロードさせることにより提供するように構成してもよい。なお、ＰＣ２０のハードウェア構成は、プリンタ１０のハードウェア構成と同様である。
【００５２】
以上、本発明を実施の形態を用いて説明したが、上記実施の形態に多様な変更または改良を加えることができる。
【図面の簡単な説明】
【００５３】
【図１】画像形成システム１の全体構成を示す図である。
【図２】プリンタ１０の機能構成を示すブロック図である。
【図３】機器情報管理部１１０に保持されている既定紙種テーブル１１２のデータ構成を模式的に示す図である。
【図４−１】個人用紙種テーブル１１４ａのデータ構成を模式的に示す図である。
【図４−２】個人用紙種テーブル１１４ｂのデータ構成を模式的に示す図である。
【図５】変更例にかかる個人用紙種テーブル１１５のデータ構成を模式的に示す図である。
【図６】ＰＣ２０の機能構成を示すブロック図である。
【図７】既定紙種登録処理を示すフローチャートである。
【図８−１】カスタム紙種設定画面３００を示す図である。
【図８−２】名称入力画面３０２を示す図である。
【図９】個人用名称登録処理を示すフローチャートである。
【図１０−１】印刷準備画面３１０を示す図である。
【図１０−２】名称変更画面３１２を示す図である。
【図１１】個人用名称登録処理前後の印刷準備画面３１０を示す図である。
【図１２】個人用名称を含む印刷準備画面３１０の表示処理を示すフローチャートである。
【図１３】印刷処理を示すフローチャートである。
【図１４】プリンタ１０の操作パネル１２０に紙種を表示する紙種表示処理を示すフローチャートである。
【図１５】操作パネル１２０の表示例４００を示す図である。
【図１６】プリンタ１０のハードウェア構成を示す図である。
【符号の説明】
【００５４】
１  画像形成システム
１０  プリンタ
３０  ネットワーク
５１  ＣＰＵ
５２  ＲＯＭ
５３  ＲＡＭ
５７  通信I／Ｆ
６２  バス
１０１  通信制御部
１０２  記憶装置
１０３  ユーザインターフェイス制御部
１０４  画像形成制御部
１０５  印刷制御部
１１０  機器情報管理部
１１２  既定紙種テーブル
１１４ａ，１１４ｂ，１１５  個人用紙種テーブル
１２０  操作パネル
２１０  通信制御部
２１２  表示制御部
２１４  印刷データ作成部
２４０  表示画面
３００  カスタム紙種設定画面
３０２  名称入力画面
３１０  印刷準備画面
３１２  名称変更画面
【図１】
2008068605.tif 000003
【図２】
2008068605.tif 000004
【図３】
2008068605.tif 000005
【図４−１】
2008068605.tif 000006
【図４−２】
2008068605.tif 000007
【図５】
2008068605.tif 000008
【図６】
2008068605.tif 000009
【図７】
2008068605.tif 000010
【図８−１】
2008068605.tif 000011
【図８−２】
2008068605.tif 000012
【図９】
2008068605.tif 000013
【図１０−１】
2008068605.tif 000014
【図１０−２】
2008068605.tif 000015
【図１１】
2008068605.tif 000016
【図１２】
2008068605.tif 000017
【図１３】
2008068605.tif 000018
【図１４】
2008068605.tif 000019
【図１５】
2008068605.tif 000020
【図１６】
2008068605.tif 000021